(57)【要約】【課題】ゴルフクラブヘッドのフェース部の形状によってゴルフクラブヘッドのスイートエリアを広げることができる、ゴルフクラブヘッドおよびそれを備えたゴルフクラブを提供する。【解決手段】ゴルフクラブヘッド１０は、フェース部１と、トウ部２と、ヒール部３と、クラウン部４と、ソール部５とを備えている。トウヒール方向ＴＨのフェース部１の最大長の中央での、クラウンソール方向ＣＳのフェース部１の寸法は、トウヒール方向ＴＨにおける中央とフェース部１のトウ側の先端との中点であるトウ側中点ＴＰでの、クラウンソール方向ＣＳのフェース部１の寸法よりも小さく、かつトウヒール方向ＴＨにおける中央とフェース部１のヒール側の先端との中点であるヒール側中点ＨＰでの、クラウンソール方向ＣＳのフェース部１の寸法よりも小さい。【選択図】図２
2014207985.tif 000002
【特許請求の範囲】
【請求項１】
フェース部と、
前記フェース部に連続するトウ部と、
前記フェース部に連続し、前記フェース部を挟んで前記トウ部と向かい合うヒール部と、
前記フェース部に連続するクラウン部と、
前記フェース部に連続し、前記クラウン部と向かい合うソール部とを備え、
前記トウ部と前記ヒール部とが向かい合うトウヒール方向の前記フェース部の最大長の中央での、前記クラウン部と前記ソール部とが向かい合うクラウンソール方向の前記フェース部の寸法は、前記トウヒール方向における前記中央と前記フェース部の前記トウ側の先端との中点であるトウ側中点での、前記クラウンソール方向の前記フェース部の寸法よりも小さく、かつ前記トウヒール方向における前記中央と前記フェース部の前記ヒール側の先端との中点であるヒール側中点での、前記クラウンソール方向の前記フェース部の寸法よりも小さい、ゴルフクラブヘッド。
【請求項２】
前記中央において、前記フェース部と前記クラウン部および前記ソール部の少なくともいずれかとにまたがるように溝が形成された、請求項１に記載のゴルフクラブヘッド。
【請求項３】
前記溝は、前記フェース部と前記クラウン部とにまたがるように形成された第１の溝部と、前記フェース部と前記ソール部とにまたがるように形成された第２の溝部とを含む、請求項２に記載のゴルフクラブヘッド。
【請求項４】
シャフトと、
前記シャフトの一方端に取り付けられたグリップと、
前記シャフトの前記グリップと反対側の他方端に取り付けられた請求項１〜３のいずれか１項に記載のゴルフクラブヘッドとを備えた、ゴルフクラブ。
【発明の詳細な説明】
【技術分野】
【０００１】
本発明は、ゴルフクラブヘッドおよびゴルフクラブに関するものである。
【背景技術】
【０００２】
ゴルフクラブヘッドのスイートエリアを広くしたいという要求がある。たとえば、特開２００８−１３６８６１号公報（特許文献１）には、ゴルフクラブのスイートエリアを広くすることが開示されており、慣性モーメントを大きくすることで打撃点がずれても打球の方向性を向上させたゴルフクラブが開示されている。
【先行技術文献】
【特許文献】
【０００３】
【特許文献１】特開２００８−１３６８６１号公報
【発明の概要】
【発明が解決しようとする課題】
【０００４】
しかしながら、上記公報では、ゴルフクラブヘッドのスイートエリアを広げるためのゴルフクラブヘッドのフェース部の形状については考慮されていない。
【０００５】
本発明は、上記課題を鑑みてなされたものであり、その目的は、ゴルフクラブヘッドのフェース部の形状によってゴルフクラブヘッドのスイートエリアを広げることができる、ゴルフクラブヘッドおよびそれを備えたゴルフクラブを提供することである。
【課題を解決するための手段】
【０００６】
本発明のゴルフクラブヘッドは、フェース部と、フェース部に連続するトウ部と、フェース部に連続し、フェース部を挟んでトウ部と向かい合うヒール部と、フェース部に連続するクラウン部と、フェース部に連続し、クラウン部と向かい合うソール部とを備えている。トウ部とヒール部とが向かい合うトウヒール方向のフェース部の最大長の中央での、クラウン部とソール部とが向かい合うクラウンソール方向のフェース部の寸法は、トウヒール方向における中央とフェース部のトウ側の先端との中点であるトウ側中点での、クラウンソール方向のフェース部の寸法よりも小さく、かつトウヒール方向における中央とフェース部のヒール側の先端との中点であるヒール側中点での、クラウンソール方向のフェース部の寸法よりも小さい。
【０００７】
本発明のゴルフクラブヘッドによれば、トウヒール方向のフェース部の最大長の中央での、クラウンソール方向のフェース部の寸法は、トウ側中点での、クラウンソール方向のフェース部の寸法よりも小さく、かつヒール側中点での、クラウンソール方向のフェース部の寸法よりも小さい。これにより、クラウンソール方向のフェース部の寸法は、トウヒール方向のフェース部の最大長の中央でトウ側中点およびヒール側中点よりも小さくなる。このフェース部の形状ではトウヒール方向で反発係数が落ちにくいことを発明者らは見出した。つまり、このフェース部の形状によってゴルフクラブヘッドのスイートエリアを広げることができることを発明者らは見出した。
【０００８】
上記のゴルフクラブヘッドでは、中央において、フェース部とクラウン部およびソール部の少なくともいずれかとにまたがるように溝が形成されている。これにより、クラウンソール方向のフェース部の寸法を、中央でトウ側中点およびヒール側中点よりも小さくすることができる。
【０００９】
上記のゴルフクラブヘッドでは、溝は、フェース部とクラウン部とにまたがるように形成された第１の溝部と、フェース部とソール部とにまたがるように形成された第２の溝部とを含んでいる。これにより、クラウンソール方向のフェース部の寸法を、中央でトウ側中点およびヒール側中点よりも小さくすることができる。
【００１０】
上記のゴルフクラブヘッドでは、シャフトと、シャフトの一方端に取り付けられたグリップと、シャフトのグリップと反対側の他方端に取り付けられた上記のゴルフクラブヘッドとを備えている。これにより、ゴルフクラブヘッドのフェース部の形状によってゴルフクラブヘッドのスイートエリアを広げることができるゴルフクラブを得ることができる。
【発明の効果】
【００１１】
以上説明したように、本発明のゴルフクラブヘッドおよびゴルフクラブによれば、ゴルフクラブヘッドのフェース部の形状によってゴルフクラブヘッドのスイートエリアを広げることができる。
【図面の簡単な説明】
【００１２】
【図１】本発明の一実施の形態におけるゴルフクラブヘッドの概略斜視図である。
【図２】本発明の一実施の形態におけるゴルフクラブヘッドの概略正面図である。
【図３】本発明の一実施の形態におけるゴルフクラブヘッドの概略上面図である。
【図４】本発明の一実施の形態におけるゴルフクラブヘッドの概略下面図である。
【図５】図１のＶ−Ｖ線に沿う概略断面図である。
【図６】本発明の一実施の形態におけるゴルフクラブの概略斜視図である。
【図７】実施例１〜４および比較例のヒール低下率とＣＬ／ＴＨＬとの関係を示す図である。
【図８】実施例１〜４および比較例のトウ低下率とＣＬ／ＴＨＬとの関係を示す図である。
【図９】実施例１〜４および比較例の低下率平均とＣＬ／ＴＨＬとの関係を示す図である。
【図１０】実施例１〜４および比較例のヒール低下率とＷ１／（ＴＤ+ＨＤ）との関係を示す図である。
【図１１】実施例１〜４および比較例のトウ低下率とＷ１／（ＴＤ+ＨＤ）との関係を示す図である。
【図１２】実施例１〜４および比較例の低下率平均とＷ１／（ＴＤ+ＨＤ）との関係を示す図である。
【発明を実施するための形態】
【００１３】
以下、本発明の実施の形態について図に基づいて説明する。
最初に本発明の一実施の形態のゴルフクラブヘッドの構成について説明する。以下、ゴルフクラブヘッドの例として、ウッド型ゴルフクラブヘッドについて説明するが、ユーティリティゴルフクラブヘッドおよびアイアンゴルフクラブヘッドにも本発明は適用可能である。
【００１４】
図１および２を参照して、ゴルフクラブヘッド１０は、フェース部１と、トウ部２と、ヒール部３と、クラウン部４と、ソール部５と、ホーゼル部７とを主に有している。
【００１５】
フェース部１は打球面を有している。フェース部１は打球面にスイートスポットを有している。フェース部１の打球面においてスイートスポットの周囲にスイートエリアが形成されている。打球面には、図示しない複数のスコアラインが形成されていてもよい。
【００１６】
トウ部２はホーゼル部７から離れた側のクラウン部４とソール部５とを接続する部分である。トウ部２はフェース部１に連続している。ヒール部３はホーゼル部７の下端からソール部５に至る部分である。ヒール部３はフェース部１に連続している。ヒール部３はフェース部１を挟んでトウ部２と向かい合っている。トウ部２とヒール部３とが向かい合う方向がトウヒール方向ＴＨ（図２中左右方向）である。トウヒール方向ＴＨにおいてフェース部１が最大となる長さを最大長とする。このトウヒール方向ＴＨのフェース部１の最大長は、設定されているロフト角およびライ角をなすように水平面にゴルフクラブヘッド１０が設置された状態において、水平面と平行なトウヒール方向ＴＨでのフェース部１の長さの最大長である。
【００１７】
クラウン部４はゴルフクラブヘッド１０の上部を構成する部分である。クラウン部４はソール部５の上面を覆うように配置されている。クラウン部４はフェース部１に連続している。ソール部５はゴルフクラブヘッド１０の底部を構成する部分である。ソール部５はフェース部１に連続している。ソール部５はクラウン部４と向かい合っている。クラウン部４とソール部５とが向かい合う方向がクラウンソール方向ＣＳ（図２中上下方向）である。ホーゼル部７はシャフト（図６）に接続される部分である。
【００１８】
また、トウヒール方向ＴＨのフェース部１の最大長の中央ＣＰにおいて、フェース部１とクラウン部４およびソール部５の少なくともいずれかとにまたがるように溝６が形成されている。つまり、溝６はフェース部１の一部とクラウン部４の一部およびソール部５の一部の少なくともいずれかとで構成されている。
【００１９】
本発明の一実施の形態では、溝６は、第１の溝部６ａと第２の溝部６ｂとを有している。第１の溝部６ａはフェース部１とクラウン部４とにまたがるように形成されている。第２の溝部６ｂはフェース部１とソール部５とにまたがるように形成されている。つまり、第１の溝部６ａはフェース部１の一部とクラウン部４の一部とで構成されており、第２の溝部６ｂはフェース部１の一部とソール部５の一部とで構成されている。
【００２０】
本発明の一実施の形態では、第１の溝部６ａと第２の溝部６ｂは同一幅である。第１の溝部６ａの溝幅Ｗ１は、フェースクラウンの境界線と溝部６ａとの交点をそれぞれ通る、水平面に垂直な２つの並行な面間の水平距離として定義される。また第２の溝部６ｂの溝幅Ｗ１は、フェースソールの境界線と溝部６ａとの交点をそれぞれ通る、水平面に垂直な２つの並行な面間の水平距離として定義される。
【００２１】
第１の溝部６ａおよび第２の溝部６ｂは、トウヒール方向ＴＨのフェース部１の最大長の中央ＣＰにおいて最も深くなるように形成されている。第１の溝部６ａおよび６ｂはトウヒール方向ＴＨのフェース部１の最大長の中央ＣＰからトウ側およびヒール側にそれぞれ高さが連続的に小さくなるように形成されている。
【００２２】
フェース部１において、トウヒール方向ＴＨのフェース部１の最大長の中央ＣＰからトウ側の先端までの長さＴＤと、トウヒール方向ＴＨのフェース部１の最大長の中央ＣＰからヒール側の先端までの長さＨＤとは、互いに等しい寸法を有している。トウ側中点ＴＰは、フェース部１においてトウヒール方向ＴＨのフェース部１の最大長の中央ＣＰとトウ側の先端との中点である。フェース部１において、トウヒール方向ＴＨのフェース部１の最大長の中央ＣＰからトウ側中点ＴＰまでの長さＴＤ１と、トウ側の先端からトウ側中点ＴＰまでの長さＴＤ２とは、互いに等しい寸法を有している。
【００２３】
ヒール側中点ＨＰは、フェース部１においてトウヒール方向ＴＨのフェース部１の最大長の中央ＣＰとヒール側の先端との中点である。フェース部１において、トウヒール方向ＴＨのフェース部１の最大長の中央ＣＰからヒール側中点ＨＰまでの長さＨＤ１と、ヒール側の先端からヒール側中点ＨＰまでの長さＴＤ２とは、互いに等しい寸法を有している。
【００２４】
本発明の一実施の形態では、トウヒール方向ＴＨのフェース部１の最大長の中央ＣＰを含む領域に溝６が形成されているため、トウヒール方向ＴＨのフェース部１の最大長の中央ＣＰでのフェース部１の高さは、トウ側中点ＴＰおよびヒール側中点ＨＰでのフェース部１の高さよりも小さい。トウヒール方向ＴＨのフェース部１の最大長の中央ＣＰでのクラウンソール方向ＣＳのフェース部１の寸法ＣＬは、トウ側中点ＴＰでのクラウンソール方向ＣＳのフェース部１の寸法ＴＬよりも小さく、ヒール側中点ＨＰでのクラウンソール方向ＣＳのフェース部１の寸法ＨＬよりも小さい。図２中のクラウンソール方向ＣＳのフェース部１の寸法ＴＬ、ＨＬ、およびＣＬは、具体的には以下の通りに定義される。クラウンソール方向ＣＳのフェース部１の寸法ＴＬは、トウ側中点ＴＰを通る水平面に垂直な面とフェース面とが交差してできる線の長さである。クラウンソール方向ＣＳのフェース部１の寸法ＨＬは、ヒール側中点ＨＰを通る水平面に垂直な面とフェース面とが交差してできる線の長さである。クラウンソール方向ＣＳのフェース部１の寸法ＣＬは、トウヒール方向ＴＨのフェース部１の最大長の中央ＣＰを通る水平面に垂直な面とフェース面とが交差してできる線の長さである。つまり、クラウンソール方向ＣＳのフェース部１の寸法ＴＬ、ＨＬ、およびＣＬはフェース面に沿った距離（フェース面上での距離）である。
【００２５】
図３を参照して、ゴルフクラブヘッド１０はフェース部１と向かい合うバック部８を有している。第１の溝部６ａは、フェース部１からバック部８に向かう方向（図中上下方向）に、直線状に形成されており、フェース部１とバック部８との中点よりもフェース部側に形成されている。平面視において、第１の溝部６ａはフェース部１からバック部８に向かって幅が狭くなるように形成されている。
【００２６】
図４を参照して、第２の溝部６ｂはフェース部１からバック部８に向かう方向（図中上下方向）に、直線状に形成されており、フェース部１とバック部８との中点よりもフェース部側に形成されている。平面視において、第２の溝部６ｂはフェース部１からバック部８に向かって幅が狭くなるように形成されている。
【００２７】
図５を参照して、ゴルフクラブヘッド１０は、フェース部１、クラウン部４、ソール部５、バック部８などによって囲まれた内部空間ＩＳを有している。第１の溝部６ａはフェース部１からクラウン部４に向かって直線状に深さが小さくなるように傾斜している。第２の溝部６ｂはフェース部１からソール部５に向かって直線状に深さが小さくなるように傾斜している。第１の溝部６ａは第２の溝部６ｂよりもバック部８側に伸びている。つまり、第１の溝部６ａは第２の溝部６ｂよりもフェース部１からバック部８に向かう方向（図中左右方向）に長く形成されている。また、フェース部１は一定の厚みとなるように形成されている。
【００２８】
次に、本実施の形態のゴルフクラブの構成について説明する。
図６を参照して、ゴルフクラブヘッド１０にシャフト２１およびグリップ２２を組み合わせることでゴルフクラブ２０が構成される。ゴルフクラブ２０は、シャフト２１と、シャフト２１の一方端に取り付けられたグリップ２２と、シャフト２１のグリップ２２と反対側の他方端に取り付けられたゴルフクラブヘッド１０とを有している。なお、シャフト２１およびグリップ２２は周知のものを採用可能である。また、ゴルフクラブヘッド１０のホーゼル部７に隣接するようにシャフト２１にソケット２３が取り付けられている。
【００２９】
次に、本発明の一実施の形態のゴルフクラブヘッド１０の作用効果について説明する。
本発明の一実施の形態のゴルフクラブヘッド１０では、トウヒール方向ＴＨのフェース部１の最大長の中央ＣＰでの、クラウンソール方向ＣＳのフェース部１の寸法は、トウ側中点ＴＰでの、クラウンソール方向ＣＳのフェース部１の寸法よりも小さく、かつヒール側中点ＨＰでの、クラウンソール方向ＣＳのフェース部１の寸法よりも小さい。これにより、クラウンソール方向ＣＳのフェース部１の寸法は、トウヒール方向ＴＨのフェース部１の最大長の中央ＣＰでトウ側中点ＴＰおよびヒール側中点ＨＰよりも小さくなる。このフェース部１の形状ではトウヒール方向ＴＨで反発係数が落ちにくいことを発明者らは見出した。つまり、このフェース部１の形状によってゴルフクラブヘッド１０のスイートエリアを広げることができることを発明者らは見出した。
【００３０】
本発明の一実施の形態のゴルフクラブヘッド１０では、トウヒール方向ＴＨのフェース部１の最大長の中央ＣＰにおいて、フェース部１とクラウン部４およびソール部５の少なくともいずれかとにまたがるように溝６が形成されている。これにより、クラウンソール方向ＣＳのフェース部１の寸法を、トウヒール方向ＴＨのフェース部１の最大長の中央ＣＰでトウ側中点ＴＰおよびヒール側中点ＨＰよりも小さくすることができる。
【００３１】
本発明の一実施の形態のゴルフクラブヘッド１０では、溝６は、フェース部１とクラウン部４とにまたがるように形成された第１の溝部６ａと、フェース部１とソール部５とにまたがるように形成された第２の溝部６ｂとを含んでいる。これにより、クラウンソール方向ＣＳのフェース部１の寸法を、トウヒール方向ＴＨのフェース部１の最大長の中央ＣＰでトウ側中点ＴＰおよびヒール側中点ＨＰよりも小さくすることができる。
【００３２】
本発明の一実施の形態のゴルフクラブ２０では、シャフト２１と、シャフト２１の一方端に取り付けられたグリップ２２と、シャフト２１のグリップ２２と反対側の他方端に取り付けられた上記のゴルフクラブヘッド１０とを備えている。これにより、ゴルフクラブヘッド１０のフェース部１の形状によってゴルフクラブヘッド１０のスイートエリアを広げることができるゴルフクラブ２０を得ることができる。
【実施例】
【００３３】
以下、本発明の実施例について説明する。
本実施例では、フェース部の形状による反発係数を検討した。具体的には、有限要素法を用いてシュミレーションを行い、実施例および比較例の反発係数を比較した。
【００３４】
【表１】
2014207985.tif 000003
【００３５】
表１を参照して、実施例１は図１に示す第１の溝部６ａおよび第２の溝部６ｂを有している。比較例は第１の溝部６ａおよび第２の溝部６ｂを有していない。比較例は第１の溝部６ａおよび第２の溝部６ｂを有していない点以外では実施例１と同様の形状を有している。
【００３６】
表１の各項目について説明する。打点はセンター、ヒール、トウの３点とした。センター打点はクラウンソール方向ＣＳのフェース部１の寸法ＣＬの中点であり、ヒール打点はＨＬの中点であり、トウ打点はＴＬの中点である。肉厚分布はフェース部とその周囲の肉厚である。質量はゴルフクラブヘッドの質量である。反発係数低下率は、センターの反発係数を１００％とし、そのセンターの反発係数に対するヒールおよびトウの反発係数の比率の値である。
【００３７】
表１を参照して、実施例１は、比較例に比べて反発係数低下率の値が大きくなった。つまり、実施例１は、比較例に比べて反発係数が落ちにくいことがわかった。これにより、実施例１のフェース部の形状によってゴルフクラブヘッドのスイートエリアを広げることができることがわかった。
【００３８】
さらに、実施例１における第１の溝部６ａおよび第２の溝部６ｂの寸法を変化させた実施例２〜４を作成し、実施例１〜４および比較例を用いて、フェース部の反発係数の変化を検討した。具体的には、有限要素法を用いてシミュレーションを行い、実施例１〜４と比較例の反発係数を比較した。
【００３９】
【表２】
2014207985.tif 000004
【００４０】
表２を参照して、実施例１〜４は、第１の溝部６ａおよび第２の溝部６ｂを有している。比較例は第１の溝部６ａおよび第２の溝部６ｂを有していない。比較例は第１の溝部６ａおよび第２の溝部６ｂを有していない点以外では、実施例１〜４と同様の形状を有している。
【００４１】
表２の各項目について説明する。打点は表１の説明と同様、センター、ヒール、トウの３点とした。センター打点はＣＬの中点であり、ヒール打点はＨＬの中点であり、トウ打点はＴＬの中点である。ＴＬ、ＨＬ、ＣＬ、Ｗ１の値は、図２で示した各部の寸法である。ＴＨＬは、ＴＬとＨＬの平均値である。ＣＬ／ＴＨＬは、ＴＨＬに対するＣＬの比率をパーセンテージで表記したものである。Ｗ１／(ＴＤ＋ＴＨ)は、ＴＤ＋ＴＨに対するＷ１の比率をパーセンテージで表記したものである。また、ヒール低下率は、センター打点に対するヒール打点での反発係数の低下率を示す。トウ低下率は、センター打点に対するトウ打点での反発係数の低下率を表す。低下率平均は、ヒール低下率とトウ低下率の平均値を表す。なお実施例１〜４において、第１の溝部６ａおよび第２の溝部６ｂの幅は同一寸法Ｗ１である。
【００４２】
図７は、実施例１〜４および比較例のそれぞれについて、横軸にＣＬ／ＴＨＬを、縦軸にヒール低下率を示した図である。図７から明らかなように、ヒール低下率は全ての実施例において比較例を上回っている。
【００４３】
図８は、実施例１〜４および比較例のそれぞれについて、横軸にＣＬ／ＴＨＬを、縦軸にトウ低下率を示した図である。図８から、トウ低下率は、ＣＬ／ＴＨＬが一定の範囲にある場合に、実施例が比較例を上回っていることが分かる。具体的には、ＣＬ/ＴＨＬが４５％から６６％の領域において比較例を上回っている。
【００４４】
図９は、実施例１〜４および比較例のそれぞれについて、横軸にＣＬ／ＴＨＬを、縦軸に低下率平均を示した図である。図９から、低下率平均は全ての実施例において比較例を上回っている。
【００４５】
図１０は、実施例１〜４および比較例のそれぞれについて、横軸にＷ１／(ＴＤ＋ＨＤ)を、縦軸にヒール低下率を示した図である。図１０から明らかなように、ヒール低下率は全ての実施例において比較例を上回っている。
【００４６】
図１１は、実施例１〜４および比較例のそれぞれについて、横軸にＷ１／(ＴＤ＋ＨＤ)を、縦軸にトウ低下率を示した図である。図１１から、トウ低下率は、Ｗ１／(ＴＤ＋ＨＤ)が一定の範囲にある場合に、実施例が比較例を上回っている。具体的には、Ｗ１／(ＴＤ＋ＨＤ)が２０％から２５％の領域において、比較例を上回っている。
【００４７】
図１２は、実施例１〜４および比較例のそれぞれについて、横軸にＷ１／(ＴＤ＋ＨＤ)を、縦軸に低下率平均を示した図である。図１２から、低下率平均は全ての実施例において比較例を上回っている。
【００４８】
図７〜図９の結果から、フェース部１、第１の溝部６ａ、および第２の溝部６ｂの寸法を規定するＴＬ、ＴＨ、ＴＨＬ、ＣＬ、Ｗ１において、ＣＬ／ＴＨＬが少なくとも３５〜７１％の範囲内であれば、比較例に比べて反発係数の低下率平均を大きくできることが分かる。一般ゴルファーは、打点がトウ側とヒール側のどちらにもばらつくので、低下率平均がそのまま平均飛距離に反映されると言える。従って、ＣＬ／ＴＨＬの値を３５％以上７１％以下の範囲に設定することで、平均飛距離の低下を抑えることができる。より好ましくは、トウ側、ヒール側共に反発係数低下率の値が大きくなるＣＬ／ＴＨＬが４５％以上６６％以下の範囲とすることで、トウ、ヒールのどちらに打点がばらついても飛距離の低下を抑えることができる。
【００４９】
図１０〜１２の結果から、フェース部１、第１の溝部６ａ、および第２の溝部６ｂの寸法を規定するＴＬ、ＴＨ、ＴＨＬ、ＣＬ、Ｗ１において、Ｗ１／(ＴＤ＋ＨＤ) が少なくとも１９％以上２７％以下の範囲内であれば、比較例に比べて反発係数の低下率平均を大きくすることができる。さらに、トウ側、ヒール側に共に反発係数低下率の値が共に大きくなるＷ１／(ＴＤ＋ＨＤ)が２０％以上２５％以下の範囲が特に望ましい。なお、実施例１〜５では第１の溝部６ａと第２の溝部６ｂの幅を同一としているが、反発係数の低下率を抑える範囲内であれば、互いの溝幅を異ならせてもよい。
【００５０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５１】
１  フェース部、２  トウ部、３  ヒール部、４  クラウン部、５  ソール部、６  溝、６ａ  第１の溝部、６ｂ  第２の溝部、７  ホーゼル部、８  バック部、１０  ゴルフクラブヘッド、２０  ゴルフクラブ、２１  シャフト、２２  グリップ、２３  ソケット、ＣＳ  クラウンソール方向、ＨＰ  ヒール側中点、ＩＳ  内部空間、ＴＨ  トウヒール方向、ＴＰ  トウ側中点。
【図１】
2014207985.tif 000005
【図２】
2014207985.tif 000006
【図３】
2014207985.tif 000007
【図４】
2014207985.tif 000008
【図５】
2014207985.tif 000009
【図６】
2014207985.tif 000010
【図７】
2014207985.tif 000011
【図８】
2014207985.tif 000012
【図９】
2014207985.tif 000013
【図１０】
2014207985.tif 000014
【図１１】
2014207985.tif 000015
【図１２】
2014207985.tif 000016